(57)【要約】【課題】容易に角度調節ができ、調節位置も容易に把握できる耕耘カバーの角度調節装置を提供しようとする。【解決手段】管理機１の後部に付設するロータリ耕耘装置４の耕耘カバー４３の開放角度調節装置７０であって、左右の耕耘カバー４３の機体左右中央側を機体左右中央に設けたビーム４０に上下回動自在に支持し、ビーム４０の後部上に支柱７２を立設し、前記耕耘カバー４３の上面にアジャストプレート７１の一端を枢支し、該アジャストプレート７１に長手方向に沿って長孔７１ｂを開口し、該長孔７１ｂに複数のノッチ７１ｃ・７１ｃ・・・を形成して、前記支柱７２に設けた固定ネジ７３にノッチ７１ｃを係合して固定可能に構成するとともに、前記アジャストプレート７１のノッチ７１ｃ近傍に固定用指示部７６を形成した。【選択図】図２
2015057966.tif 000002
【特許請求の範囲】
【請求項１】
管理機に後部に付設するロータリ耕耘装置の耕耘カバーの解放角度調節装置であって、左右の耕耘カバーの機体左右中央側を機体左右中央に設けたビームに上下回動自在に支持し、ビームの後部上に支柱を立設し、前記耕耘カバーの上面にアジャストプレートの一端を枢支し、該アジャストプレートに長手方向に沿って長孔を開口し、該長孔に複数のノッチを形成して、前記支柱に設けた固定部材にノッチを係合して固定可能に構成するとともに、前記アジャストプレートのノッチ近傍に固定用指示部を形成したことを特徴とする耕耘カバー。
【請求項２】
前記アジャストプレートの固定用指示部は凹部で形成したことを特徴とする請求項１に記載の耕耘カバー。
【請求項３】
前記アジャストプレートには持手部が形成されることを特徴とする請求項１または請求項２に記載の耕耘カバー。
【発明の詳細な説明】
【技術分野】
【０００１】
本発明は、管理機に付設されるロータリ耕耘装置の耕耘カバーの開放角度を、任意に調節し固定するための角度調節装置の技術に関する。
【背景技術】
【０００２】
従来から、管理機の後部にロータリ耕耘装置を付設して、該ロータリ耕耘装置の耕耘カバーが側方に開放するように上方に回動して、耕耘した土を側方へ飛散させて、溝上げや揚土ができるようにしている。この耕耘カバーの開放角度は、土の飛散距離に合わせて角度を調節できるようにしている（例えば特許文献１参照）。
【０００３】
この耕耘カバーの角度を調節するための構成は、耕耘カバーの上面にスイングアームの一端を枢支し、該スイングアームの他端をビーム上に立設した支柱の任意高さ位置で共締め固定するようにしていた。
【先行技術文献】
【特許文献】
【０００４】
【特許文献１】実開昭６２−１１１３０２号公報
【発明の概要】
【発明が解決しようとする課題】
【０００５】
しかし、前記特許文献１における技術の場合、スイングアームを持って固定位置（開放角度）を調節するときに、スイングアームを保持し難く指が孔や固定部材に挟まれるおそれがあった。また、異なる圃場や異なる日に作業を行う場合に、耕耘カバーを一旦元の位置に戻して、再度セットすると、セットした角度が分かり難いために前回と角度が異なることがあり、仕上がりが不均一となることがあった。
本発明は以上の如き状況に鑑みてなされたものであり、容易に角度調節ができ、調節位置も容易に把握できる耕耘カバーの角度調節装置を提供しようとする。
【課題を解決するための手段】
【０００６】
本発明の解決しようとする課題は以上の如くであり、次にこの課題を解決するための手段を説明する。
即ち、請求項１においては、管理機の後部に付設するロータリ耕耘装置の耕耘カバーの開放角度調節装置であって、左右の耕耘カバーの機体左右中央側を機体左右中央に設けたビームに上下回動自在に支持し、ビームの後部上に支柱を立設し、前記耕耘カバーの上面にアジャストプレートの一端を枢支し、該アジャストプレートに長手方向に沿って長孔を開口し、該長孔に複数のノッチを形成して、前記支柱に設けた固定部材にノッチを係合して固定可能に構成するとともに、前記アジャストプレートのノッチ近傍に固定用指示部を形成したものである。
【０００７】
請求項２においては、前記固定用指示部は凹部で形成したものである。
【０００８】
請求項３においては、アジャストプレートには持手部が形成されるものである。
【発明の効果】
【０００９】
本発明上記構成とすることにより、簡単に、かつ、正確に耕耘カバーの角度調節ができ、操作性の向上を図ることができる。
【図面の簡単な説明】
【００１０】
【図１】本発明の耕耘カバーを備える管理機の全体側面図。
【図２】（ａ）耕耘カバーの後面図、（ｂ）左右の耕耘カバーを開放した状態の後面図。
【図３】角度調節装置の斜視図。
【図４】（ａ）アジャストプレートの後面図、（ｂ）アジャストプレートの他の実施形態の後面図。
【発明を実施するための形態】
【００１１】
以下では、本発明に係る耕耘カバーの角度調節装置７０を備える管理機１の一実施形態について説明する。なお、以下では図中の矢印Ｆの方向を前方向と定義して説明を行う。
【００１２】
図１に示す管理機１は、本機後部に耕耘作業を可能とするロータリ耕耘装置４が付設されている。管理機１は、トランスミッションケース１１、エンジン２０、車輪３０・３０、ロータリ耕耘装置４、操縦部６０等を具備する。
【００１３】
トランスミッションケース１１内には、種々のギヤや伝達軸等よりなる変速装置を収納し、エンジン２０からの動力を変速して車輪３０やロータリ耕耘装置４に伝達する。トランスミッションケース１１は、側面視「へ」字状に構成されて管理機１の左右略中央に配置され、管理機１の前後方向に延びて設けられる箱状の部材であり、管理機１の主たる構造体を成すものである。
【００１４】
エンジン２０は、駆動源となるものである。エンジン２０は、トランスミッションケース１１の前部に固定されたエンジンフレーム２１上に固定される。エンジン２０からの動力は、伝動ケース２２内のプーリ及びベルトを介してトランスミッションケース１１の入力軸に伝達される。
【００１５】
トランスミッションケース１１の下端部に車軸３１を軸架し、左右の車軸３１にそれぞれ車輪３０・３０が固定される。
【００１６】
操縦部６０は、管理機１を走行及び作業させるための種々の操作を行うためのものである。操縦部６０は、ハンドル６１、変速レバー６２、主クラッチレバー６３等を具備する。
【００１７】
ハンドル６１の前端は、トランスミッションケース１１の上部に前後振り替え可能に固定される。ハンドル６１の後部は、後上方に向けて延設され、当該ハンドル６１の他端（上端）には、主クラッチレバー６３やアクセルレバーやサイドクラッチレバー等の操作具が配置される。ハンドル６１の前下方に変速レバー６２が配置される。
【００１８】
ロータリ耕耘装置４は、圃場を耕耘するためのものである。ロータリ耕耘装置４は、ビーム４０、耕耘軸４１・４１、耕耘爪４２・４２・・・、耕耘カバー４３、補助輪５０等を具備する。
【００１９】
耕耘軸４１・４１は、トランスミッションケース１１より後下方に延設した耕耘ケース１１ａの下端部から左右両側方に向けて突設される。耕耘軸４１・４１上には、耕耘爪４２・４２・・・が適宜間隔及び角度をあけて固定される。なお、ロータリ耕耘装置４の耕耘ケース１１ａは本実施形態では、トランスミッションケース１１と一体的に構成しているが、別構成として、トランスミッションケース１１の後面にヒッチを介して着脱可能とする構成であってもよく、限定するものではない。
【００２０】
耕耘カバー４３は、耕耘爪４２・４２・・・の回転軌跡の上方を覆うものである。左右の耕耘カバー４３・４３は、機体左右内側の辺が、トランスミッションケース１１の後面から後方に突設したビーム４０の下側部に、ヒンジ４４・４４・・・を介して上下回動自在に枢支される。耕耘カバー４３・４３は後述する角度調節装置７０によって上下回動角度が調節可能とされている。
【００２１】
耕耘カバー４３は、上カバー４３ａとサイドカバー４３ｂと後部カバー４３ｃからなり、上カバー４３ａの機体中央側辺がヒンジ４４を介してビーム４０の側面に回動自在に枢支される。上カバー４３ａの機体外側辺にサイドカバー４３ａが回動可能に取り付けられる。ビーム４０の後部に後部カバー４３ｃが固設される。こうして、耕耘爪４２・４２・・・が回動されて、圃場の土を砕いたときに、耕耘カバー４３により上方や後方への土の飛散を防止している。
【００２２】
補助輪５０は、ロータリ耕耘装置４の後下方に配置される。補助輪５０は、補助輪用フレーム５１の下端に回転自在に支持され、補助輪用フレーム５１は前記ビーム４０の後端に上下高さ調節可能に支持される。該補助輪５０の高さを調節することで、耕耘深さを設定することが可能である。
【００２３】
角度調節装置７０は、図２、図３、図４に示すように、アジャストプレート７１、支柱７２、固定部材となる固定ネジ７３、支持ステー７４等からなる。
【００２４】
支柱７２は、プレート状の板体がビーム４０の後部上面から立設され、支柱７２の上部に前後方向に貫通するネジ孔が開口される。該ネジ孔に固定ネジ７３が螺装される構成としている。固定ネジ７３は手で容易に回動できるように一端に大径のノブを形成している。
【００２５】
アジャストプレート７１は、一端を耕耘カバー４３と連結して、他端の支柱７２に対する固定位置を変更することで耕耘カバー４３の回動角度を調節するものである。アジャストプレート７１は左右一対備え、略左右対称に構成されるため、右側のアジャストプレート７１Ｒについて説明する。
【００２６】
アジャストプレート７１は、図３、図４（ａ）に示すように、一端にピン孔７１ａが開口される。該ピン孔７１ａには枢支ピン７５が挿入され、該枢支ピン７５は更に耕耘カバー４３の上面に固設された支持ステー７４に開口したピン孔７４ａに挿入されて係止され、アジャストプレート７１は支持ステー７４に対して回動自在に枢結される。
【００２７】
アジャストプレート７１には、長手方向に長い長孔７１ｂが開口され、該長孔７１ｂの上部内面には複数のノッチ７１ｃ・７１ｃ・・・が長手方向に沿って所定間隔をあけて設けられている。該ノッチ７１ｃに固定ネジ７３を係止できるようにしている。
【００２８】
そして、前記ノッチ７１ｃに対応して、アジャストプレート７１には固定用指示部７６が形成されている。固定用指示部７６はノッチ７１ｃと固定ネジ７３の係止位置が容易に把握できるようにするためのものである。つまり、固定用指示部７６は作業者から容易に見える位置に配置され、各ノッチ７１ｃに対応して係止位置が容易に把握でき、左右の耕耘カバー４３・４３の開き角度が容易に認識でき、土寄せや土上げ作業時に耕耘カバー４３の回動角度を正確に設定できるようにするものである。
【００２９】
固定用指示部７６は、本実施形態では図４（ａ）に示すように、アジャストプレート７１のノッチ７１ｃ・７１ｃ・・・近傍にその位置と対応するように凹部を形成している。詳しくは、前記ノッチ７１ｃ・７１ｃ・・・上方のアジャストプレート７１上面に、各ノッチ７１ｃに対応して凹状溝７６ａ・７６ａ・・・を形成している。但し、固定用指示部７６の形状や配置位置は限定するものではなく、アジャストプレート７１の側面に凹部または凸部を形成してもよい。こうして、ノッチ７１ｃに対する固定位置が容易に認識できるようにしている。
【００３０】
また、固定用指示部７６は、図４（ｂ）に示すように、アジャストプレート７１の側面に前記ノッチ７１ｃ・７１ｃ・・・の位置に合わせて数字を付してもよい。このように構成することで、何番目のノッチ７１ｃに係止しているかが容易に認識できる。
但し、固定用指示部７６は側面に数字を付すことに限定するものではない。つまり、アジャストプレート７１の上面または側面に、文字や記号や目盛等を付してもよく、ノッチ７１ｃの位置、または、回動角度が容易に認識できるものであればよい。
【００３１】
また、アジャストプレート７１の他端には、持手部７７が一体的に形成されている。持手部７７は本実施形態では、アジャストプレート７１の板面と直交する板面として容易に握れるようにしている。但し、持手部７７の形状や配置位置は限定するものではなく、棒状に構成したり、アジャストプレート７１の長手方向中途部に配置する構成であってもよい。
【００３２】
上記構成において、土上げ作業等を行う場合には、固定ネジ７３を緩めて、左右一方の持手部７７を持って引き上げて耕耘カバー４３を所望の回動角度位置まで回動し、固定ネジ７３のネジ部にノッチ７１ｃを引っ掛けて係止する。そして、左右他方の持手部７７を持って引き上げて耕耘カバー４３を所望の回動角度位置まで回動し、固定ネジ７３のネジ部にノッチ７１ｃを引っ掛けて係止する。このとき、固定ネジ７３のネジ部とノッチ７１ｃの係合は、アジャストプレート７１を持ち上げるだけで容易に解除でき、角度変更は容易にできる。そして、固定ネジ７３を締め付けることで、左右のアジャストプレート７１Ｌ・７１Ｒが支柱７２に固定され、耕耘カバー４３・４３を所望の角度に開いた状態に固定することができる。
【００３３】
以上のように、管理機１の後部に付設するロータリ耕耘装置４の耕耘カバー４３の開放角度調節装置７０であって、左右の耕耘カバー４３の機体左右中央側を機体左右中央に設けたビーム４０に上下回動自在に支持し、ビーム４０の後部上に支柱７２を立設し、前記耕耘カバー４３の上面にアジャストプレート７１の一端を枢支し、該アジャストプレート７１に長手方向に沿って長孔７１ｂを開口し、該長孔７１ｂに複数のノッチ７１ｃ・７１ｃ・・・を形成して、前記支柱７２に設けた固定ネジ７３にノッチ７１ｃの一つを係合して固定可能に構成するとともに、前記アジャストプレート７１のノッチ７１ｃ・７１ｃ・・・近傍に固定用指示部７６を形成したので、耕耘カバー４３を回動してアジャストプレート７１を支柱７２に固定した位置が固定用指示部７６により容易に認識できるようになり、左右の耕耘カバーの回動角度を合わせる場合や、異なる作業日に耕耘カバーの回動角度を調節する場合等において、固定用指示部７６を固定ネジ７３に合わせるだけで容易に回動角度を調節することができる。
【００３４】
また、前記固定用指示部７６は凹部で形成したので、削ったり、刻設したりして容易に固定用指示部７６を構成することができ、視認により容易に固定位置が認識できる。
【００３５】
また、アジャストプレート７１には持手部７７が形成されるので、アジャストプレート７１は持ち易くなり、耕耘カバー４３の角度調節操作が容易に行え、指を引っ掛けたり挟んだりすることがなくなり、操作性が向上する。
【符号の説明】
【００３６】
１    管理機
４    ロータリ耕耘装置
４０  ビーム
４３  耕耘カバー
７０  角度調節装置
７１  アジャストプレート
７１ｂ  長孔
７１ｃ  ノッチ
７２  支柱
７３  固定ネジ
７６  固定用指示部
７７  持手部
【図１】
2015057966.tif 000003
【図２】
2015057966.tif 000004
【図３】
2015057966.tif 000005
【図４】
2015057966.tif 000006